【事件の表示】
　特願２００６−３２１４８４「デジタル放送受信装置とこれを用いたデジタル放送受信システム」拒絶査定不服審判事件〔平成２０年　６月１２日出願公開、特開２００８−１３６０５１〕について、次のとおり審決する。
【結　論】
　本件審判の請求は、成り立たない。
【理　由】
１．手続の経緯
　本願は、平成１８年１１月２９日の出願であって、平成２０年１月２２日付けで最後の拒絶理由通知がなされ、同年３月３１日付けで手続補正がなされたが、同年３月３１日付けの手続補正は同年７月３１日付けで却下されるとともに同日付けで拒絶査定がなされ、これに対し、同年９月４日に拒絶査定不服審判の請求がなされるとともに、同年１０月６日付けで手続補正がなされたものである。
　
２．本願発明
　本願の請求項２に係る発明は、平成２０年１０月６日付けの手続補正書により補正された特許請求の範囲の請求項２に記載されたとおりの次のものと認める。（以下、「本願発明」という。）
「高感度モードと、この高感度モードにおける受信感度より悪い受信感度を有する低感度モードとを切り替え可能な受信部と、
この受信部の出力側に接続されてキャリアノイズレベル比を取得する受信環境取得部と、
前記受信部が前記高感度モードの場合に、前記受信環境取得部が取得するキャリアノイズレベル比が解除閾値より大きくなれば、前記受信部を前記低感度モードに切り替え、前記受信部が前記低感度モードの場合に、前記受信環境取得部が取得するキャリアノイズレベル比が前記解除閾値より小さい起動閾値より小さくなれば、前記受信部を前記高感度モードに切り替える制御部とを有し、
前記低感度モードから前記高感度モードに切り替わる入力レベルは前記高感度モードから前記低感度モードに切り替わる入力レベルより小さいデジタル放送受信装置。」
　
３．引用例
　原査定の拒絶の理由に引用された特開２００３−３７５４７号公報（以下、「引用例」という。）には、図面とともに次の事項が記載されている。
　
Ａ．「【特許請求の範囲】
【請求項１】　アダプティブアレイアンテナ受信モードによるデータ受信を行うデータ通信方式を採用する携帯通信端末において、
単一アンテナ受信モードのデータ受信に用いられる単一アンテナと、アダプティブアレイアンテナ受信モードのデータ受信に用いられる複数のアンテナから構成されるアダプティブアレイアンテナと、単一アンテナ受信モードまたはアダプティブアレイアンテナ受信モードのいずれでデータの受信を行うかの判定を行う受信モード判定部とを具備することを特徴とする携帯通信端末。
【請求項２】　前記単一アンテナ及びアダプティブアレイアンテナ各々の受信状態を示すキャリア対干渉波比をそれぞれ測定する測定手段を具備することを特徴とする請求項１に記載の携帯通信端末。
【請求項３】　前記受信モード判定部が前記キャリア対干渉波比に基づき、前記単一アンテナ受信モードまたは前記アダプティブアレイアンテナ受信モードのいずれでデータの受信を行うかの判定を行うことを特徴とする請求項１または請求項２のいずれかに記載の携帯通信端末。
【請求項４】　前記受信モード判定部が、受信モードを、アダプティブアレイアンテナ受信モードへ移行する場合、及び単一アンテナ受信モードへ移行する場合によって、前記キャリア対干渉波比を判定する閾値にヒステリシスを持たせていることを特徴とする請求項３に記載の携帯通信端末。」
　
Ｂ．「【０００１】
【発明の属する技術分野】本発明は無線通信における、端末アダプティブアレイアンテナ受信動作の制御に関するもので、ＣＤＭＡ２０００　１ｘＥＶ−Ｄ０（またはＨＤＲ）のように受信状況が直接データレートに反映されるような無線端末に関するものである。」
　
Ｃ．「【０００５】そして、移動端末は、各々、通信相手である基地局からの下り方向の受信状態、すなわち、下りパイロット信号のＣＩＲ＝キャリア対干渉波比を測定し、このＣＩＲの変動から次の受信タイミングの受信状態を予測し、この予測から期待される「所定の誤り率（システム設計に依存するが通常１％程度）以下で受信可能な最高伝送速度」を求めて、ＤＲＣ（データレートコントロールビット）として基地局へ通知する。これにより、基地局は、複数の移動端末から、上述したＤＲＣの通知を受信し、各時分割単位毎に、どの移動端末と通信するかをスケジューラと呼ばれる機能で決定し、この通信における伝送速度として、基本的に各移動端末から通知されるＤＲＣの示す伝送速度に基づいて、可能な限り高い伝送レートを使用して各移動端末と通信を行う。」
　
Ｄ．「【００３２】《第１の実施形態》次に、本発明の第１の実施形態に係る携帯通信端末の構成例について説明する。上述したように、データ伝送のＤＲＣの決定においては、移動端末の受信状態の指標であるＣＩＲを用いる。したがって、移動端末において、アダプティブアレイアンテナ（アンテナＡ２〜ＡＮ）を用いることにより、高いＣＩＲが得られると考えられ、この結果により、データの伝送速度において高いＤＲＣを出すことが可能となり、より高いスループットを得ることが出来るようになる。
【００３３】しかしながら、アダプティブアレイアンテナ受信をすることにより、アンテナＡ２〜ＡＮ，及びこれらのアンテナ各々に対応する復調器３２〜３Ｎや復号器４２〜４Ｎを動作させる必要があるため、大幅な消費電力の増加を招くことになる。　一方、移動端末の受信処理において、常に、アダプティブアレイアンテナのシステムが必ずしも有効とは言えない。例えば、ユーザが移動端末を十分に基地局に近くで用いるため、単一アンテナＡ１でも十分なＣＩＲで受信が可能な場合や、アプリケーション、コンテンツによっては高速なスループットを必要とせず、単一のアンテナＡ１でも十分な場合などが考えられる。
【００３４】これらの場合にはアダプティプアレイアンテナ受信をするよりも、単一アンテナＡ１のみを用いて、データの受信を行ったほうが、消費電力の点から有効であると思われる。第１の実施形態として、例えば、受信状態のみでアダプティブのオンオフをする構成を以下に示す。ＣＩＲに関して閾値Ｓ１及び、閾値Ｓ２（Ｓ１＞Ｓ２）を、あらかじめアンテナ電源制御部３１に設定する。
【００３５】ここで、閾値Ｓ１はアダプティブアレイアンテナ受信モードを停止するか否かの判定を行う数値であり、閾値Ｓ２はアダプティブアレイアンテナ受信モードを開始するか否かの判定を行う数値である。ここで、アンテナ電源制御部３１は、「Ｓ１≦ＣＩＲ」である場合、アダプティブアレイアンテナ受信モードを停止し、「Ｓ２≧ＣＩＲ」である場合、アダプティブアレイアンテナ受信モードを開始する。閾値Ｓ１及び閾値Ｓ２は、アダプティブアレイアンテナ受信モードと単一アンテナ受信モードとの選択を行う場合に、ヒステリシスを持たせるために設定される。
【００３６】すなわち、閾値Ｓ２を下回った場合には、アダプティブアレイアンテナ受信モードが用いられ、閾値Ｓ１を上回るまでは、受信モードが単一アンテナ受信モードへ移行しない。一方、閾値Ｓ１を上回った場合には、単一アンテナ受信モードが用いられ、閾値Ｓ２を下回るまでは、受信モードがアダプティブアレイアンテナ受信モードへ移行しない。
【００３７】このため、ＣＩＲが閾値Ｓ１を越えた場合、アンテナ電源制御部３１は、単一アンテナＡ１からの受信系統を除き、他のアンテナＡ２〜ＡＮの受信系統（無線受信部４０）の電源を切断することとなる。通常は、アダプティブアレイアンテナ受信モードによりデータ受信をしている移動端末において、アンテナ電源制御部３１は、その閾値Ｓ１を超えるＣＩＲに達したとき、このときに重み係数処理部３０から送信される重み係数を記憶する。
【００３８】そして、アンテナ電源制御部３１は、単一アンテナＡ１からの受信系統の重みを‘１’、他のアンテナＡ２〜ＡＮからの受信系統の重みを‘０’に設定し、単一アンテナ受信モードに移行する。この時点ではアダプティブアレイアンテナ受信に対応するアンテナＡ２〜ＡＮのアンテナに対する受信系統の電源は切断しない。次に、この単一受信モードでのＣＩＲが閾値Ｓ２を上回る場合、アンテナＡ２〜ＡＮに対応する受信系統の電源を切断する。
【００３９】これにより、アンテナ電源制御部３１は、移動端末のデータ受信を、単一アンテナＡ１による単一アンテナ受信モードに移行する。一方、アンテナ電源制御部３１は、閾値Ｓ２を下まわったことを検出した場合、内部に記憶してある重み係数を用い、再びアダプティプアレイアンテナを用いるアダプティプアレイアンテナ受信モードに移行する。
【００４０】このアダプティブアンテナ受信モードに移行するとき、ＣＩＲが閾値Ｓ１以上であることが十分に予想され、すぐにアダプティブアレイアンテナの受信系統への電力の供給を切断してしまうことを防ぐ必要がある。このため、アンテナ電源制御部３１は、ＣＩＲが閾値Ｓ２未満となり、アダプティブアレイアンテナ受信モード動作が再スタートした時点において、図示しないタイマを始動させ、ＣＩＲが閾値Ｓ１を越えた場合でも、タイマの計数値が設定された一定時間経過するまでアダプティブアレイアンテナ受信モードを完全にオフとしない。これにより、受信が不安定でＣＩＲの変動が大きい場合に、アンテナ電源制御部３１が短期間にアダプティブアレイアンテナの系統（無線受信部４０）に電力の供給を繁盛に供給／切断を繰り返すことを防止し、この系統への供給開始時に過渡的に消費される電力を削減することができる。
【００４１】また、他の方法として、アンテナ電源制御部３１は、アダプティブアレイアンテナ受信モード時に、複数あるアンテナ（単一アンテナＡ１，アンテナＡ２〜ＡＮ）のうちの一つの単一アンテナＡ１を、定期的（ＣＤＭＡ２０００　１ｘＥＶ−ＤＯではパイロット信号が定期的、かつバースト的に吹かれている）に（又は常に）独立で作動させ、ＣＩＲを測定させる。そして、アンテナ電源制御部３１は、単一アンテナＡ１の受信した信号により測定されたＣＩＲの数値に基づき、アダプティブアレイアンテナ受信モードのオン／オフ、すなわちアダプティブアレイアンテナ受信モード及び単一アンテナ受信モードのいずれを用いてデータ受信をするかを制御する様にしても良い。」
　
Ｅ．図１において、「無線受信部４０」内の「復調器３２〜３Ｎ」及び「復号器（審決注：図面中の「複合器」との記載は「復号器」の誤記であると認められる。以下同様。）４２〜４Ｎ」よりなる構成と上記「無線受信部４０」外の「復調器５」及び「復号器７」よりなる構成は、総称して「受信部」であるということができるとともに、該「受信部」は、「アダプティブアレイアンテナ受信モード」においては上記「復調器３２〜３Ｎ」及び「復号器４２〜４Ｎ」よりなる構成を用い、「単一アンテナ受信モード」においては上記「復調器５」及び「復号器７」よりなる構成を用いるように切り替え可能になっているということができる。
　
　ここで、上記Ｄの段落【００３２】に、「・・・移動端末において、アダプティブアレイアンテナ（アンテナＡ２〜ＡＮ）を用いることにより、高いＣＩＲが得られると考えられ、・・・」と記載されていることからすると、引用例のものにおいて、「単一アンテナ受信モード」は、「アダプティブアレイアンテナ受信モード」よりも低いＣＩＲ（キャリア対干渉波比）しか得られないモードであるということができる。
　
　よって、上記Ａ〜Ｄの記載及び上記Ｅの事項を参酌すると、引用例には、次の発明が記載されているものと認められる。（以下、「引用例記載の発明」という。）
「アダプティブアレイアンテナ受信モードと、このアダプティブアレイアンテナ受信モードよりも低いＣＩＲ（キャリア対干渉波比）しか得られない単一アンテナ受信モードとを切り替え可能な受信部と、
この受信部の出力側に接続されてＣＩＲを取得する測定手段と、
前記受信部が前記アダプティブアレイアンテナ受信モードの場合に、前記測定手段が取得するＣＩＲが閾値Ｓ１より大きくなれば、前記受信部を前記単一アンテナ受信モードに切り替え、前記受信部が前記単一アンテナ受信モードの場合に、前記測定手段が取得するＣＩＲが前記閾値Ｓ１より小さい閾値Ｓ２より小さくなれば、前記受信部を前記アダプティブアレイアンテナ受信モードに切り替えるアンテナ電源制御部とを有する携帯通信端末。」
　
４．対比
　本願発明と引用例記載の発明とを対比すると、次のことがいえる。
　
（あ）引用例記載の発明において、「低いＣＩＲ（キャリア対干渉波比）しか得られない」ことは、高レベルの干渉波が存在するような悪い受信状態のために低レベルのキャリアは受信することができないということであると解され、「受信感度」が悪いことに相当する事項であると解される。
　よって、引用例記載の発明における「アダプティブアレイアンテナ受信モード」及び「このアダプティブアレイアンテナ受信モードよりも低いＣＩＲ（キャリア対干渉波比）しか得られない単一アンテナ受信モード」は、それぞれ、本願発明における「高感度モード」及び「この高感度モードにおける受信感度より悪い受信感度を有する低感度モード」に相当する。
　
（い）引用例記載の発明における「ＣＩＲ（キャリア対干渉波比）」と、本願発明における「キャリアノイズレベル比」とは、ともに、「受信環境を表す指標」である点において、共通するものである。
　よって、引用例記載の発明における「この受信部の出力側に接続されてＣＩＲを取得する測定手段」と、本願発明における「この受信部の出力側に接続されてキャリアノイズレベル比を取得する受信環境取得部」とは、ともに、「この受信部の出力側に接続されて受信環境を表す指標を取得する受信環境取得部」である点において、共通するものである。
　
（う）引用例記載の発明における「閾値Ｓ１」及び「閾値Ｓ２」は、それぞれ、本願発明における「解除閾値」及び「起動閾値」に相当する。
　
（え）引用例記載の発明における「携帯通信端末」は、具体的には、例えば、「ＣＤＭＡ２０００　１ｘＥＶ−Ｄ０（またはＨＤＲ）のように受信状況が直接データレートに反映されるような無線端末」（引用例の上記Ｂの記載参照）であり、デジタル信号を受信する機能を有する装置であると解される。
　よって、引用例記載の発明における「携帯通信端末」と、本願発明における「デジタル放送受信装置」とは、ともに、「デジタル信号受信装置」である点において、共通するものであるということができる。
　
　上記（あ）〜（え）の事項を踏まえると、本願発明と引用例記載の発明とは、次の点で一致し、また、相違するものと認められる。
　
（一致点）
　本願発明と引用例記載の発明とは、ともに、
「高感度モードと、この高感度モードにおける受信感度より悪い受信感度を有する低感度モードとを切り替え可能な受信部と、
この受信部の出力側に接続されて受信環境を表す指標を取得する受信環境取得部と、
前記受信部が前記高感度モードの場合に、前記受信環境取得部が取得する受信環境を表す指標が解除閾値より大きくなれば、前記受信部を前記低感度モードに切り替え、前記受信部が前記低感度モードの場合に、前記受信環境取得部が取得する受信環境を表す指標が前記解除閾値より小さい起動閾値より小さくなれば、前記受信部を前記高感度モードに切り替える制御部とを有するデジタル信号受信装置。」
である点。
　
（相違点）
　相違点１：「受信環境を表す指標」が、本願発明においては「キャリアノイズレベル比」であるのに対し、引用例記載の発明においては「ＣＩＲ（キャリア対干渉波比）」である点。
　
　相違点２：本願発明は、「低感度モードから高感度モードに切り替わる入力レベル」が「高感度モードから低感度モードに切り替わる入力レベル」より小さいのに対し、引用例においては、「単一アンテナ受信モードからアダプティブアレイアンテナ受信モードに切り替わる入力レベル」と「アダプティブアレイアンテナ受信モードから単一アンテナ受信モードに切り替わる入力レベル」の大小関係についての記載がない点。
　
　相違点３：本願発明は「デジタル放送受信装置」であるのに対し、引用例記載の発明は「携帯通信端末」である点。
　
５．当審の判断
　そこで、上記相違点１〜３について検討する。
　
（相違点１について）
　一般に、通信システムにおける「受信環境を表す指標」として、「ＣＩＲ（キャリア対干渉波比）」及び「キャリアノイズレベル比」は、ともによく用いられる類似の周知の指標にすぎない。
　よって、引用例記載の発明において、「受信環境を表す指標」として「ＣＩＲ（キャリア対干渉波比）」の代わりに「キャリアノイズレベル比」を用いるようにすることは、当業者が適宜になし得ることにすぎない。
　
（相違点２について）
　引用例の上記Ｄの段落【００３９】〜【００４０】には、次の記載がなされている。
「【００３９】これにより、アンテナ電源制御部３１は、移動端末のデータ受信を、単一アンテナＡ１による単一アンテナ受信モードに移行する。一方、アンテナ電源制御部３１は、閾値Ｓ２を下まわったことを検出した場合、内部に記憶してある重み係数を用い、再びアダプティプアレイアンテナを用いるアダプティプアレイアンテナ受信モードに移行する。
【００４０】このアダプティブアンテナ受信モードに移行するとき、ＣＩＲが閾値Ｓ１以上であることが十分に予想され、すぐにアダプティブアレイアンテナの受信系統への電力の供給を切断してしまうことを防ぐ必要がある。このため、アンテナ電源制御部３１は、ＣＩＲが閾値Ｓ２未満となり、アダプティブアレイアンテナ受信モード動作が再スタートした時点において、図示しないタイマを始動させ、ＣＩＲが閾値Ｓ１を越えた場合でも、タイマの計数値が設定された一定時間経過するまでアダプティブアレイアンテナ受信モードを完全にオフとしない。これにより、受信が不安定でＣＩＲの変動が大きい場合に、アンテナ電源制御部３１が短期間にアダプティブアレイアンテナの系統（無線受信部４０）に電力の供給を繁盛に供給／切断を繰り返すことを防止し、この系統への供給開始時に過渡的に消費される電力を削減することができる。」
　上記記載において、「単一アンテナ受信モード」で「アンテナ電源制御部３１」が「（ＣＩＲが）閾値Ｓ２を下まわったことを検出し」て「アダプティブアンテナ受信モードに移行する」とき、「ＣＩＲが閾値Ｓ１以上であることが十分に予想され」るのは、「アダプティブアンテナ受信モード」が、十分に高い「ＣＩＲ」が得られるモードであるためであると解されるところ、そのような状況は、「アンテナ電源制御部３１」が「（ＣＩＲが）閾値Ｓ２を下まわったことを検出し」て「アダプティブアンテナ受信モードに移行する」ときの入力レベルよりも小さい入力レベルが「ＣＩＲが閾値Ｓ１」付近になるレベルであることを意味し、これは、「単一アンテナ受信モード（低感度モード）からアダプティブアンテナ受信モード（高感度モード）に切り替わる入力レベル」よりも「アダプティブアンテナ受信モード（高感度モード）から単一アンテナ受信モード（低感度モード）に切り替わる入力レベル」の方が小さいという本願発明とは逆の状況を表していると解される。
　そして、引用例のものにおいては、そのような状況をそのまま放置しておくと、「アダプティブアンテナ受信モードに移行するとき、・・・すぐにアダプティブアレイアンテナの受信系統への電力の供給を切断してしまう」ため、引用例の上記Ｄの段落【００４０】では、「アンテナ電源制御部３１は、ＣＩＲが閾値Ｓ２未満となり、アダプティブアレイアンテナ受信モード動作が再スタートした時点において、図示しないタイマを始動させ、ＣＩＲが閾値Ｓ１を越えた場合でも、タイマの計数値が設定された一定時間経過するまでアダプティブアレイアンテナ受信モードを完全にオフとしない」という方策を採用することにより、「受信が不安定でＣＩＲの変動が大きい場合に、アンテナ電源制御部３１が短期間にアダプティブアレイアンテナの系統（無線受信部４０）に電力の供給を繁盛に供給／切断を繰り返すことを防止し、この系統への供給開始時に過渡的に消費される電力を削減することができる」という本願発明と同様の作用効果を得ている。
　しかしながら、上記段落【００４０】に続く段落【００４１】には、上記「・・・一定時間経過するまでアダプティブアレイアンテナ受信モードを完全にオフとしない」という方策に代わる「他の方法」として、「アンテナ電源制御部３１は、アダプティブアレイアンテナ受信モード時に、複数あるアンテナ（単一アンテナＡ１，アンテナＡ２〜ＡＮ）のうちの一つの単一アンテナＡ１を、定期的（ＣＤＭＡ２０００　１ｘＥＶ−ＤＯではパイロット信号が定期的、かつバースト的に吹かれている）に（又は常に）独立で作動させ、ＣＩＲを測定させる。そして、アンテナ電源制御部３１は、単一アンテナＡ１の受信した信号により測定されたＣＩＲの数値に基づき、アダプティブアレイアンテナ受信モードのオン／オフ、すなわちアダプティブアレイアンテナ受信モード及び単一アンテナ受信モードのいずれを用いてデータ受信をするかを制御する様にしても良い」ことも紹介されている。
　上記段落【００４１】で紹介されている方法のように、「一つの単一アンテナＡ１を、・・・（又は常に）独立で作動させ、ＣＩＲを測定させる」方法を採用した場合には、「単一アンテナ受信モード」で「アンテナ電源制御部３１」が「（ＣＩＲが）閾値Ｓ２を下まわったことを検出し」て「アダプティブアンテナ受信モードに移行」した後でも、「アダプティブアンテナ受信モード」により測定されたＣＩＲの数値ではなく、「単一アンテナＡ１」により測定されたＣＩＲの数値が用いられると解され、そのときには、ＣＩＲの数値がすぐに閾値Ｓ１以上となることはなく、「すぐにアダプティブアレイアンテナの受信系統への電力の供給を切断してしまう」という不具合は発生しないことになると解される。
　そして、「単一アンテナＡ１」により測定されたＣＩＲの数値が閾値Ｓ１以上となって再び「単一アンテナ受信モード」に切り替わるのは、「アダプティブアンテナ受信モードに移行」した後にさらに十分に入力レベルが干渉波に比して大きくなった時点であると解され、そのことは、とりもなおさず、「単一アンテナ受信モード（低感度モード）からアダプティブアンテナ受信モード（高感度モード）に切り替わる入力レベル」よりも「アダプティブアンテナ受信モード（高感度モード）から単一アンテナ受信モード（低感度モード）に切り替わる入力レベル」の方が大きいこと、すなわち、逆に言えば「アダプティブアンテナ受信モード（高感度モード）から単一アンテナ受信モード（低感度モード）に切り替わる入力レベル」よりも「単一アンテナ受信モード（低感度モード）からアダプティブアンテナ受信モード（高感度モード）に切り替わる入力レベル」の方が小さいことを意味する。
　よって、引用例記載の発明において、上記段落【００４１】の記載を参酌し、「低感度モードから高感度モードに切り替わる入力レベル」を「高感度モードから低感度モードに切り替わる入力レベル」より小さくすることは、当業者が適宜になし得ることである。
　
（相違点３について）
　一般に、通信システムにおけるデジタル信号受信装置として、「携帯通信端末」も「デジタル放送受信装置」も、周知の構成にすぎない。
　そして、引用例記載の発明における受信部の切り替え技術は、「デジタル放送信号」に対しても、ごく普通に適用できるものである。
　よって、引用例記載の発明の「携帯通信端末」に係る技術を「デジタル放送受信装置」に対して適用するようにすることは、当業者が適宜になし得ることである。
　
（本願発明の作用効果について）
　そして、本願発明の構成によってもたらされる効果も、引用例記載の発明から当業者が容易に予測することができる程度のものであって、格別のものとはいえない。
　
６．むすび
　以上のとおり、本願発明は、引用例記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。